(57)【要約】【課題】狭額縁化を実現する。【解決手段】表示装置１０は、光源５２と、前記光源５２からの光が入射される板面状の光学部材６０と、前記光学部材６０から出射された光に光学作用を付与する光学シート３３と、前記光学シート３３から出射された光を利用して画像を表示する表示パネル２０と、前記表示パネル２０の周縁部に沿って延在する枠状のパネルシャーシ８０とを備え、前記パネルシャーシ８０は、その枠状の上部に前記光学シート３３側に突出して前記光学シート３３を保持する突出部８３を有する。【選択図】図３
2020012960.tif 000002
【特許請求の範囲】
【請求項１】
光源と、
前記光源からの光が入射される板面状の光学部材と、
前記光学部材から出射された光に光学作用を付与する光学シートと、
前記光学シートから出射された光を利用して画像を表示する表示パネルと、
前記表示パネルの周縁部に沿って延在する枠状のパネルシャーシと、を備え、
前記パネルシャーシは、その枠状の上部に、前記光学シート側に突出して前記光学シートを吊り下げ保持する突出部を有する表示装置。
【請求項２】
前記光学シートは、その周縁部の上部に、前記突出部が挿入される挿入孔を備える請求項１記載の表示装置。
【請求項３】
前記パネルシャーシの前記突出部は複数設けられており、
前記光学シートには前記複数の突出部がそれぞれ挿入される前記挿入孔が複数設けられている請求項２記載の表示装置。
【請求項４】
前記パネルシャーシは横長の枠状をなし、
前記パネルシャーシに設けられる前記複数の突出部は、前記パネルシャーシの一対の長辺部のうち上側の長辺部の略中央に配される位置決め用突出部と、当該長辺部の両端部近傍に配される支持用突出部とを含んでおり、
前記光学シートは横長の方形状をなし、
前記光学シートに設けられる前記複数の挿入孔は、前記位置決め用突出部が挿入される位置決め用挿入孔と、前記支持用突出部が挿入される支持用挿入孔とを含んでおり、
前記支持用挿入孔は横長状である請求項３記載の表示装置。
【請求項５】
前記パネルシャーシに設けられる前記突出部は、前記パネルシャーシにおいて前記表示パネルの表示領域と重畳する領域より外側に配される請求項１から請求項４のいずれか１項に記載の表示装置。
【請求項６】
前記突出部が前記光学シート側に突出する長さは、前記光学シートの厚さ以上、かつ、前記光学部材の伸縮領域であるクリアランス空間には達しない長さである請求項１から請求項５のいずれか１項に記載の表示装置。
【請求項７】
前記パネルシャーシに設けられる前記突出部は、前記パネルシャーシに一体成型されている請求項１から請求項６のいずれか１項に記載の表示装置。
【請求項８】
前記表示パネルの周縁部に沿って延在する枠状のベゼルをさらに備えており、
前記表示パネルはその表側を前記ベゼルにより、裏側を前記パネルシャーシにより挟んで支持される請求項１から請求項７のいずれか１項に記載の表示装置。
【請求項９】
前記光学部材は、外周端面の少なくとも一部であって前記光源からの光が入射される光入射面と、一対の板面のいずれかであって光を出射させる光入射面とを有する導光板である請求項１から請求項８のいずれか１項に記載の表示装置。
【請求項１０】
前記光学部材は、一対の板面の一方の面であって前記光源からの光が入射される光入射面と、前記一対の板面の他方の面であって光を出射させる光出射面とを有する拡散板である請求項１から請求項８のいずれか１項に記載の表示装置。
【請求項１１】
請求項１から請求項１０のいずれか１項に記載の表示装置を備えるテレビ受信装置。
【発明の詳細な説明】
【技術分野】
【０００１】
本発明は、表示装置及びテレビ受信装置に関する。
【背景技術】
【０００２】
従来、液晶表示装置において光学シートを保持する技術として、光学シートの周縁部の上部に形成した孔に、バックライトシャーシの周縁部の表面上部に突設した支持ピンを挿入し、光学シートを吊り下げて保持する技術が知られている。このような液晶表示装置の一例として、下記特許文献１に記載されたものが開示されている。特許文献１の液晶表示装置は、吊り下げられる光学シートの孔の配置及び形状に特徴を持たせることによって、縦置き横置きいずれの使用時においても、光学シートに不要な応力が生じないものとなっている。
【先行技術文献】
【特許文献】
【０００３】
【特許文献１】特開２００９−１３９５７２号公報
【発明の概要】
【発明が解決しようとする課題】
【０００４】
ところで、液晶表示装置においては、光学シートとバックライトシャーシの周縁部との間に、板状の光学部材が配されることがある。具体的には、照明装置としていわゆる直下型バックライト装置が用いられる場合、この光学部材として、光源からの光を拡散させる拡散板が配されることが一般的である。直下型バックライト装置の場合、液晶パネルの直下（裏面側全体）に光源が配されているため、液晶パネルに供給される光の強度にムラが出やすく、拡散板により光を拡散させることによって、液晶パネルの明るさを均一化している。また、照明装置としていわゆるエッジライト型（サイドライト型）が用いられる場合には、この光学部材として、光源からの光を導光する導光板が配されることが一般的である。エッジライド型バックライト装置では、液晶パネルの裏側の一方の端部に光源が配されているため、当該端部側から入射した光が導光板によって液晶パネルの面内全体に向けて出射されている。
【０００５】
こうした板状の光学部材（拡散板及び導光板）は、光源が発する熱等により板面方向に膨張するため、膨張によって上記した支持ピンに接触すると反り等が生じ、液晶パネルにおける光ムラ等の原因となってしまう。そこで、これを避けるために、光学部材と支持ピンとの間に所定のクリアランス空間を確保すると、液晶パネルの周囲を取り囲む額縁が幅広とならざるを得ないのが実情である。
【０００６】
本発明は上記のような事情に基づいて完成されたものであって、狭額縁化を実現することを目的とする。
【課題を解決するための手段】
【０００７】
本発明の表示装置は、光源と、前記光源からの光が入射される板面状の光学部材と、前記光学部材から出射された光に光学作用を付与する光学シートと、前記光学シートから出射された光を利用して画像を表示する表示パネルと、前記表示パネルの周縁部に沿って延在する枠状のパネルシャーシと、を備え、前記パネルシャーシは、その枠状の上部に、前記光学シート側に突出して前記光学シートを吊り下げ保持する突出部を有する。
【０００８】
このようにすれば、パネルシャーシ上部に光学シートを保持する突出部が設けられるため、バックライトシャーシ上部の従来の支持ピンが不要になる。これによって、光学部材をより上部に配置可能となるため狭額縁化を実現できるようになる。
【発明の効果】
【０００９】
本発明によれば、狭額縁化を実現することができる。
【図面の簡単な説明】
【００１０】
【図１】本発明の実施形態１に係るテレビ受信装置の分解斜視図
【図２】本発明の実施形態１に係る液晶表示装置の分解斜視図
【図３】本発明の実施形態１に係る液晶表示装置を図１のＩＩＩ−ＩＩＩ線に沿って切断した縦断面図
【図４】パネルシャーシの平面図
【図５】光学シートの平面図
【図６】パネルシャーシの突出部と光学シートの挿入孔との対応関係を示す図
【図７】従来例１に係る液晶表示装置について図３の断面に相当する断面図
【図８】本発明の実施形態２に係る液晶表示装置の分解斜視図
【図９】実施形態２に係る液晶表示装置を図１のＩＩＩ−ＩＩＩ線に沿って切断した縦断面図
【図１０】従来例２に係る液晶表示装置について図９の断面に相当する断面図
【発明を実施するための形態】
【００１１】
＜実施形態１＞
実施形態１を図１から図５を参照して説明する。本実施形態では、液晶表示装置（表示装置の一例）１０及び、それを搭載したテレビ受信装置１０ＴＶについて例示する。なお、各図面の一部には、Ｘ軸、Ｙ軸、及びＺ軸を示しており、各軸方向が各図で共通した方向となるように描かれている。  
【００１２】
本実施形態のテレビ受信装置１０ＴＶは、図１に示すように、液晶表示装置１０と、液晶表示装置１０を挟むようにして収容する表裏両キャビネット１０Ｃａ、１０Ｃｂと、電源１０Ｐと、テレビ信号を受信するチューナー１０Ｔと、スタンド１０Ｓとを備える。テレビ受信装置１０ＴＶは、全体として横長の方形をなしており、スタンド１０Ｓに横置き状態で載置される。
【００１３】
液晶表示装置１０は、表示パネルである液晶パネル２０と、液晶パネル２０に光を照射するバックライト装置（照明装置の一例）３０と、を備え、これらが枠状をなすベゼル４０などにより一体的に保持されるようになっている。液晶パネル２０は、画像を表示可能な表示面が表側を向いた姿勢で組み付けられている。液晶パネル２０は、全体として横長な方形状（矩形状）をなしており、図２に示すように、その面内が、画像を表示可能で且つ中央側に配される表示領域（アクティブエリア）２１と、表示領域２１を取り囲む形で平面に視て枠状（額縁状）をなす非表示領域（ノンアクティブエリア）である周縁部２２と、に区分される。
【００１４】
ベゼル４０は、液晶パネル２０の表側の周縁部２２に沿って延在しており、液晶表示装置１０の表側の外観を構成している。ベゼル４０は、剛性に優れた金属製や樹脂製とされており、液晶パネル２０に並行するとともに平面視において略枠状の板面をなすベゼル本体４１と、ベゼル本体４１の外周縁から裏側に向けて延びるベゼル側壁４２とを備える。
【００１５】
液晶パネル２０は、透明な（高い透光性を有する）一対のガラス基板が所定のギャップを隔てた状態で貼り合わせられるとともに、両ガラス基板間に液晶層（図示しない）が封入された構成とされる。一方のガラス基板には、互いに直交するソース配線とゲート配線とに接続されたスイッチング素子（例えばＴＦＴ）と、そのスイッチング素子に接続された画素電極、さらには配向膜等が設けられ、他方のガラス基板には、Ｒ（赤色）、Ｇ（緑色）、Ｂ（青色）等の各着色部が所定配列で配置されたカラーフィルタや対向電極、さらには配向膜等が設けられている。このうち、ソース配線、ゲート配線、および対向電極などには、図示しない駆動回路基板から画像を表示するのに必要な画像データや各種制御信号が供給されるようになっている。なお、両ガラス基板の外側には偏光板（図示しない）が配されている。
【００１６】
パネルシャーシ（以下、Ｐシャーシと記す）８０は、図２及び図３に示すように、液晶パネル２０の裏側の周縁部２２に沿って延在し、液晶パネル２０を裏側から支持する。Ｐシャーシ８０は、液晶パネル２０に並行する板面状をなす板面部８１と、板面部８１とベゼル本体４１とを接続して固定する固定部８２とを有し、板面部８１及び固定部８２は枠状に形成されている。すなわち、液晶パネル２０はその裏側に位置するＰシャーシ８０の板面部８１と表側に位置するベゼル本体４１とで挟持されている。液晶パネル２０とこれらの部材との間にはそれぞれ緩衝材８８が配されている（図３）。Ｐシャーシ８０は、図４に示すように、液晶パネル２０の周縁部２２に倣う横長の枠状をなし、一対の長辺部と、一対の短辺部と、を備えて構成されている。
【００１７】
Ｐシャーシ８０はまた、図３及び図４に示すように、枠状の上部（上側の長辺部）において、固定部８２から裏側（バックライト装置３０側）に向けて突出する突出部８３を有する。突出部８３は、後述する光学シート３３と係合し、光学シート３３を吊り下げて保持する機能を有する。Ｐシャーシ８０は、これらの各部（板面部８１、固定部８２、突出部８３）がプラスチック等の合成樹脂により一体成型されていることが好ましい。突出部８３が容易に形成されるものとなる。
【００１８】
突出部８３は、図４に示すように、Ｐシャーシ８０の上側の長辺部に、複数点在して形成されている。具体的には、後述する図５に示す光学シート３３の挿入孔３４に挿入されるように、当該長辺部の略中央及び両端部近傍に一つずつ、計３つ設けられている。突出部８３は、当該長辺部の略中央に設けられる位置決め用突出部８３Ａと、当該長辺部の両端部近傍にそれぞれ設けられる支持用突出部８３Ｂとを含む。各突出部８３がそれぞれ対応する挿入孔３４に挿入されることによって、光学シート３３は容易に、かつ安定的に吊り下げ保持される（図６）。なお、位置決め用突出部８３Ａは、光学シート３３の支持機能に加えて、光学シート３３の長辺方向に対する位置決め機能をも有する。
【００１９】
突出部８３の形状は円柱状であって、図３に示すように、固定部８２から突出する長さ（円柱の高さ）Ｈは光学シート３３の厚さＷ以上、かつ、導光板６０の上部のクリアランス空間Ｓには到達しない長さ（突出部８３の根元からクリアランス空間Ｓまでの距離ＬＳ未満）であることが好ましい。具体的には、光学シート３３の厚さが１．１mmの場合、突出部８３の高さＨは１．１mm以上１．５mm未満の範囲内となることが好ましい。ここで、当該クリアランス空間Ｓとは、導光板６０が高温膨張、湿度膨張した際に延伸する伸縮領域であって、本実施形態においては、導光板６０の上側の外周端面６４と、後述するバックライトシャーシ３１の上側の側板３１Ｂとの隙間である。突出部８３の長さＨが光学シート３３の厚さＷ未満の場合、光学シート３３との係合が不十分となるため、光学シート３３が安定的に保持されにくくなってしまう。また、突出部８３の長さＨが導光板６０上部のクリアランス空間Ｓに到達する長さになると、導光板６０がクリアランス空間Ｓに延伸した際に、導光板６０が突出部８３に接触して不要な応力が生じてしまい、液晶パネル２０における光ムラ等の原因となってしまう。なお、突出部８３の設置位置は、Ｐシャーシ８０の固定部８２に限らず、例えば板面部８１に設けられていても構わない。液晶パネル２０の画面表示に影響を与えないように、Ｐシャーシ８０の上側の長辺部において液晶パネル２０の表示領域２１と重畳する領域より外側に配されていればよい。
【００２０】
続いてバックライト装置３０の構成について説明する。バックライト装置３０は、図２及び図３に示すように、表側（光出射側、液晶パネル２０側）に向けて開口する略箱形をなすバックライトシャーシ（以下、ＢＬシャーシと記す）３１を備え、ＢＬシャーシ３１内には、ＬＥＤユニット５０と、ＬＥＤユニット５０からの光を導光する導光板６０（光学部材の一例）と、導光板６０からの出射光に所定の光学作用を付与する光学シート３３と、漏れ出た光を導光板６０側に反射させる反射シート７０とが収容されている。
【００２１】
ＢＬシャーシ３１内において導光板６０の長辺側の側面（光入射面）６１はＬＥＤユニット５０と対向する位置に配されており、ＬＥＤユニット５０から出射される光は導光板６０によって液晶パネル２０側へ導かれる。本実施形態に係るバックライト装置３０では、光源を含むＬＥＤユニット５０が液晶パネル２０の裏側の側方に配されてなる、いわゆるエッジライト方式（サイドライト方式）を採用している。以下では、バックライト装置３０の各構成部品について詳しく説明する。
【００２２】
ＢＬシャーシ３１は、例えばアルミニウム等の金属板からなり、図２及び図３に示すように、液晶パネル２０と同様に横長の方形状をなす底板３１Ａと、底板３１Ａの外周縁から立ち上がる側板３１Ｂと、から構成されている。底板３１Ａの裏側外部には、液晶パネル２０に駆動信号を供給するコントロール基板等の基板類３２が取り付けられている。
【００２３】
ＬＥＤユニット５０は、樹脂製の矩形状をなすＬＥＤ基板５１に、複数のＬＥＤ５２が一列に等間隔に並んだ構成となっている。ＬＥＤ基板５１は、図２に示すように、ＢＬシャーシ３１の一方の長辺（Ｘ軸方向）に沿って延在する細長い板状をなす。ＬＥＤ基板５１は、導光板６０に対して所定の間隔を空けつつ導光板６０の長辺側の側面（光入射面）６１に隣り合う配置で設けられるとともに、ＬＥＤ基板５１のうち導光板６０側を向いた板面には、ＬＥＤ５２が表面実装されている。
【００２４】
導光板６０は、屈折率が空気よりも十分に高くかつほぼ透明な（透光性に優れた）合成樹脂材料（例えばＰＭＭＡなどのアクリル樹脂やポリカーボネートなど）からなる。導光板６０は、図２に示すように、液晶パネル２０およびシャーシ３１と同様に平面視で横長の方形状をなすとともに光学シート３３よりも厚みが大きな板状である。導光板６０は、ＬＥＤ５２からＹ軸方向に沿って発せられた光を長辺側の側面（光入射面）６１から導入するとともに、その光を内部で伝播させつつ光学シート３３側へ向くように立ち上げて表側の表面（光出射面）６２から出射させる。
【００２５】
反射シート７０は長方形のシート状をなし、合成樹脂製とされるとともにその表面が光反射性に優れた白色とされている。反射シート７０は、導光板６０の裏面６３とシャーシ３１の底板３１Ａとの間に配置されている。反射シート７０は、ＬＥＤ５２または導光板６０の裏面６３から漏れた光を導光板６０側に反射させる。
【００２６】
光学シート３３は可撓性を有し、液晶パネル２０およびシャーシ３１の底板３１Ａと同様に平面視で横長の方形状をなす。光学シート３３は、導光板６０側から順に、拡散シート３３Ａ、レンズシート３３Ｂ、反射型偏光板３３Ｃが積層されたものであって、液晶パネル２０と導光板６０との間に介在して配されることで、導光板６０からの出射光に所定の光学作用を付与しつつ液晶パネル２０に向けて出射させる。
【００２７】
光学シート３３は、図５及び図６に示すように、周縁部の上部（上側の長辺部）に複数の挿入孔３４（本実施形態においては３つ）を有する。挿入孔３４は、Ｐシャーシ８０の突出部８３に係合する位置に形成されており、挿入孔３４に突出部８３が挿入されることで、光学シート３３がＰシャーシ８０に吊り下げ保持される。光学シート３３と液晶パネル２０との間には、Ｐシャーシ８０の板面部８１が介在しており、光学シート３３は、液晶パネル２０との間にわずかな隙間を空けた状態で吊り下げ保持されている（図３）。
【００２８】
光学シート３３の挿入孔３４は、上述した突出部８３に対向するように、光学シート３３の上側の長辺部の略中央及び両端部の両方に一つずつ形成されている。略中央に形成された位置決め用挿入孔３４は円形状であって、長辺方向（左右方向）に対する位置決め機能を有する。また、光学シート３３の上側の長辺部の両端部には、横長の楕円状をなす支持用挿入孔３４Ｂが一つずつ設けられている。光学シート３３は、ＬＥＤ５２からの放熱によって高温膨張したり、使用環境によって湿度膨張するが、光学シート３３の長辺方向の両端部は特に長辺方向に沿う伸縮が大きくなる。このため、両端部に配される支持用挿入孔３４Ｂの形状を横長状にすることによって、長辺方向に対する十分なクリアランスを確保できるようになるため、光学シート３３の伸縮が大きい場合であっても突出部８３との係合部において光学シート３３の反り等が発生しないようにすることができる。
【００２９】
続いて、上記した実施形態に係る液晶表示装置１０の作用効果について、図７に示す従来例１と比較しながら説明する。従来例１に係るＰシャーシ９８０は、液晶パネル２０に並行する板面状をなす板面部９８１と、板面部９８１とベゼル本体４１とを接続して固定する固定部９８２とを有するが、実施形態１と異なり、光学シート３３を保持する突出部は有していない。従来例１に係る液晶表示装置９０においては、ＢＬシャーシ３１の上部に配された支持ピン３６が光学シート３３を保持する構成となっている。図３の本実施形態と図７の従来例１とを比較すると、図３に示す液晶表示装置１０では、導光板６０の上部に支持ピン３６が存在しないため、導光板６０をより上部に配置可能であることがわかる。
【００３０】
導光板６０の上側の外周端面６４からＢＬシャーシ３１の上側の側板３１Ｂの下面までの距離は、導光板６０の高温膨張、湿度膨張によるＹ軸方向（上下方向）の伸縮に対処するため、一定のクリアランスを確保して設計されている。当該距離をクリアランス長と記す時、図７の従来例１におけるクリアランス長Ｌ２に対して、図３の本実施形態においてはクリアランス長Ｌ１と短くすることができ、具体的には、６０インチから７０インチの大型の液晶表示装置であっても、クリアランス長Ｌ１を３mm程度まで短縮化可能となる。これによって狭額縁化を実現できる。
【００３１】
＜実施形態２＞
本発明の実施形態２を図８及び図９を参照して説明する。実施形態２では、上記した実施形態１からバックライト装置３０を直下型に変更したものを示す。なお、上記した実施形態１と同様の構造、作用及び効果について重複する説明は省略する。
【００３２】
本実施形態に係る液晶表示装置１１０は、図８及び図９に示すように、液晶パネル２０と、直下型のバックライト装置１３０と、を実施形態１と同様のベゼル４０、Ｐシャーシ８０などにより一体化した構成とされる。
【００３３】
バックライト装置１３０は、光出射側（液晶パネル２０側）に向けて開口した略箱型をなすＢＬシャーシ１３１と、ＢＬシャーシ１３１の開口を覆うようにして配される拡散板（光学部材の一例）１６０と、拡散板１６０から出射した光に所定の光学作用を付与する実施形態１と同様の光学シート３３と、を備える。ＢＬシャーシ１３１内には、拡散板１６０（液晶パネル２０）の直下となる位置に対向状に配されるＬＥＤ１５２と、ＬＥＤ１５２が実装されたＬＥＤ基板１５１と、ＢＬシャーシ１３１内の光を拡散板１６０側に反射させる反射シート１７０とが収容されている。このように本実施形態に係るバックライト装置１３０は、液晶パネル２０の直下にＬＥＤ１５２が対向して配される、いわゆる直下型のバックライト装置をなす。
【００３４】
ＬＥＤ基板１５１は、方形状をなしており、ＢＬシャーシ１３１の底部１３１Ａに沿って延在して収容されている。このＬＥＤ基板１５１の板面のうち、表側を向いた板面（実装面）には、複数のＬＥＤ１５２がＸ軸方向（行方向）及びＹ軸方向（列方向）についてそれぞれほぼ等間隔に行列状（マトリクス状、碁盤目状）に並列して配されている。ＬＥＤ１５２は、実装面の面内に配索形成された配線パターンによって相互が電気的に接続されている。
【００３５】
反射シート１７０は、表面が光の反射性に優れた白色を呈するものとされており、ＢＬシャーシ１３１の内面をほぼ全域にわたって覆う大きさを有している。反射シート１７０は、全体としては略擂鉢状をなしており、ＬＥＤ１５２及び拡散板１６０の裏面から漏れた光を拡散板１６０側に反射する。
【００３６】
ＢＬシャーシ１３１は、金属製とされ、液晶パネル２０と同様に横長な方形状をなす底部１３１Ａと、底部１３１Ａの各辺の外端からそれぞれ表側（光出射側）に向けて立ち上がる側部１３１Ｂと、各側部１３１Ｂの立ち上がり端から外向きに張り出す受け部１３１Ｃと、受け部１３１Ｃの外周縁から裏側に向けて延びる側板１３１Ｄとを有し、全体としては表側に向けて開口した浅い略箱型をなしている。
【００３７】
拡散板１６０は、図９に示すように、その板厚が光学シート３３よりも厚いものとされ、その外周縁部が反射シート１７０を挟んでＢＬシャーシ１３１の受け部１３１Ｃと重ね合わされている。ＬＥＤ１５２からＺ軸方向に沿って発せられた光は、拡散板１６０の裏側の板面（光入射面）に入射して、拡散板１６０の表面の板面（光出射面）から光学シート３３側へ拡散するように出射される。拡散板１６０の上部には、拡散板１６０が高温膨張、湿度膨張した際に延伸する伸縮領域であるクリアランス空間Ｓが設けられており、本実施形態においては、クリアランス空間Ｓは拡散板１６０の上側の外周端面１６４とベゼル側壁４２との隙間となる。
【００３８】
本実施形態は以上のような構成であり、続いてその作用効果について、図１０に示す従来例２に係る液晶表示装置１９０と比較しながら説明する。従来例２に係るＰシャーシ９８０は、板面部９８１と固定部９８２とを有するが、実施形態２と異なり、光学シート３３を保持する突出部は有していない。従来例２に係る液晶表示装置１９０においては、ＢＬシャーシ１３１の上部に配された支持ピン１３６が光学シート３３を保持する構成となっている。図９の本実施形態と図１０の従来例２とを比較すると、図９に示す液晶表示装置１１０では、拡散板１６０の上部に支持ピン１３６が存在しないため、拡散板１６０をより上部に配置可能であることがわかる。クリアランス空間ＳのＹ軸方向の長さ（クリアランス長）は、拡散板１６０の上側の外周端面１６４からベゼル側壁４２までの距離となる。図１０の従来例１におけるクリアランス長Ｌ４に対して、図９の本実施形態においてはクリアランス長Ｌ３と短くすることができ、これによって実施形態１と同様に狭額縁化を実現できる。
【００３９】
＜他の実施形態＞
本発明は上記記述及び図面によって説明した実施形態に限定されるものではなく、例えば次のような実施形態も本発明の技術的範囲に含まれる。
【００４０】
（１）上記実施形態では、突起部、挿入孔が３つずつ（それぞれＰシャーシ、光学シートの上部の略中央及び両端部に計３つずつ）設けられている例を示したが、突起部、挿入孔は各２つ以上あればよい。また、突起部を構成する位置決め用突起部、及び支持用突起部、並びに挿入孔を構成する位置決め用挿入孔、及び支持用挿入孔の数と組み合わせは適宜変更可能である。
【００４１】
（２）上記実施形態では、突起部の形状は円柱状であり、これが挿入される挿入孔の形状は円形または楕円形であったが、突起部が挿入孔に挿入可能であればよく、例えば突起部が角柱状であり挿入孔が方形状をなす等、形状は限られない。
【００４２】
（３）上記実施形態では、Ｐシャーシの突起部、光学シートの挿入孔がそれぞれ、Ｐシャーシ、光学シートの上部に設けられていたが、より安定的に係合させるため、上部に加えて、上部以外の部分（例えば側部）にも設けられていても構わない。
【００４３】
（４）上記実施形態では、Ｐシャーシが合成樹脂により一体成型されることで突起部が形成される例を示したが、合成樹脂製に限られず剛性及び加工性に優れた材料であればよい。また、突起部は別体として製造し、別体の突起部をその他のＰシャーシの部分に接続するような構成であってもよい。
【００４４】
（５）上記実施形態では、光学シートが３層構造である例を示したが、１層以上あればよく、また各層を構成する光学シートの種類や組み合わせも適宜選択可能である。波長変換シート等を用いてもよい。
【００４５】
（６）上記実施形態では、液晶表示装置及びテレビ受信装置は、全体として横長の方形をなしており、横置き状態で設置される例を示したが、縦長の方形をなし、縦置き状態で設置されていてもよい。またその他の形状のものにも適用可能である。
【符号の説明】
【００４６】
１０,１１０…液晶表示装置（表示装置）、１０ＴＶ…テレビ受信装置、２０…液晶パネル（表示パネル）、３３…光学シート、３４…挿入孔、３４Ａ…位置決め用挿入孔、３４Ｂ…支持用挿入孔、４０…ベゼル、５２,１５２…ＬＥＤ（光源）、６０,１６０…光学部材（導光板, 拡散板）、８０…パネルシャーシ、８３…突出部、８３Ａ…位置決め用突出部、８３Ｂ…支持用突出部
【図１】
2020012960.tif 000003
【図２】
2020012960.tif 000004
【図３】
2020012960.tif 000005
【図４】
2020012960.tif 000006
【図５】
2020012960.tif 000007
【図６】
2020012960.tif 000008
【図７】
2020012960.tif 000009
【図８】
2020012960.tif 000010
【図９】
2020012960.tif 000011
【図１０】
2020012960.tif 000012